(57)【要約】【課題】ＩＤカードを作成する際の外字の取り扱いを容易にし、ＩＤカード発行者及びＩＤカード利用者の負担を軽減する。【解決手段】外字登録装置は、外字の字形データ、呼称、及び出現回数を記憶している記憶部８３と、ＩＤカードのＩＣチップから読み取られた個人情報から外字データを抽出する抽出部８２と、抽出部８２により抽出された外字データに対応する外字が記憶部８３に記憶されている場合に、当該外字の出現回数を更新し、前記出現回数が所定値に達したか否か判定する判定部８４と、前記出現回数が所定値に達した外字に未使用の文字コードを割り当て、字形データ及び呼称とともに他装置のフォントファイルに登録する登録部８５と、を備える。【選択図】図３
2014191741.tif 000002
【特許請求の範囲】
【請求項１】
外字の字形データ、呼称、及び出現回数を記憶している記憶部と、
ＩＤカードのＩＣチップから読み取られた個人情報から外字データを抽出する抽出部と、
前記抽出部により抽出された外字データに対応する外字が前記記憶部に記憶されている場合に、当該外字の出現回数を更新し、前記出現回数が所定値に達したか否か判定する判定部と、
前記出現回数が所定値に達した外字に未使用の文字コードを割り当て、字形データ及び呼称とともに他装置のフォントファイルに登録する登録部と、
を備える外字登録装置。
【請求項２】
前記登録部は、複数の装置のフォントファイルに外字の文字コード、字形データ、及び呼称を登録することを特徴とする請求項１に記載の外字登録装置。
【請求項３】
前記判定部は、前記抽出部により抽出された外字データによる外字の字形と、前記記憶部に記憶されている字形データによる字形とのパターンマッチングを行い、類似度に基づき、前記抽出部により抽出された外字データに対応する外字が前記記憶部に記憶されているか否か判定することを特徴とする請求項１又は２に記載の外字登録装置。
【請求項４】
ＩＤカード利用者を撮影して顔画像データを生成する撮影装置と、
前記ＩＤカード利用者の個人情報と、文字コード及び字形データを規定した第１フォントファイルを記憶するホストコンピュータと、
文字コード及び字形データを規定した第２フォントファイルを記憶し、前記顔画像データを用いて顔画像を印字し、前記第２フォントファイルを用いて前記個人情報の文字の字形を特定して印字し、ＩＤカードを作成するプリンタと、
ＩＤカードのＩＣチップから個人情報を読み取る読取装置と、
前記読取装置により読み取られた個人情報を受信する請求項１乃至３のいずれかに記載の外字登録装置と、
を備え、
前記外字登録装置の前記登録部は、前記出現回数が所定値に達した外字の文字コード、字形データ及び呼称を前記第１フォントファイル及び前記第２フォントファイルに登録することを特徴とするＩＤカード作成システム。
【請求項５】
文字コード及び字形データを規定した第３フォントファイルを記憶し、前記第３フォントファイルを用いて、前記ホストコンピュータに記憶されている個人情報の文字の字形を特定して印字する帳票プリンタをさらに備え、
前記登録部は、前記出現回数が所定値に達した外字の文字コード、字形データ及び呼称を前記第３フォントファイルに登録することを特徴とする請求項４に記載のＩＤカード作成システム。
【発明の詳細な説明】
【技術分野】
【０００１】
本発明は、外字登録装置及びＩＤカード作成システムに係り、特に運転免許証などのＩＤカードを作成する際の外字の取り扱いを容易にする外字登録装置及びＩＤカード作成システムに関するものである。
【背景技術】
【０００２】
近年、従業員証、入館証、資格証明証などのＩＤカードが使用されることが多い。ＩＤカードには、ＩＤカード利用者の個人情報や顔画像が印字される。ＩＤカードに印字される個人情報のうち、特に氏名には、ＪＩＳ等の規格で定められた文字以外の文字、いわゆる外字が含まれていることがある。
【０００３】
このような外字のフォント情報は、個人情報を管理するホストコンピュータと、ＩＤカードをプリントするプリンタとで別々に登録されていた。また、ＩＤカード発行所が複数ある場合は、各発行所に設置されているプリンタに対し、個別に外字フォントを登録していた。
【０００４】
そのため、氏名に外字を含むＩＤカード利用者がＩＤカードを発行した後、カード有効期限をむかえて、別の発行所でＩＤカードを更新発行する場合、改めて外字フォントの作成・登録を申請する必要があった。また、外字フォントの作成・登録時には、印字結果を確認する必要があった。
【先行技術文献】
【特許文献】
【０００５】
【特許文献１】特許第３７９８９２０号公報
【発明の概要】
【発明が解決しようとする課題】
【０００６】
このように、従来は、ＩＤカードの発行にあたり、発行所毎に外字フォントを作成、登録したり、ＩＤカード利用者が作成された外字フォントの印字結果を確認したりするなど、外字の取り扱いに手間がかかっていた。
【０００７】
本発明は、このような課題を解決し得る外字登録装置及びＩＤカード作成システムを提供することを目的とする。
【課題を解決するための手段】
【０００８】
本発明の一態様による外字登録装置は、外字の字形データ、呼称、及び出現回数を記憶している記憶部と、ＩＤカードのＩＣチップから読み取られた個人情報から外字データを抽出する抽出部と、前記抽出部により抽出された外字データに対応する外字が前記記憶部に記憶されている場合に、当該外字の出現回数を更新し、前記出現回数が所定値に達したか否か判定する判定部と、前記出現回数が所定値に達した外字に未使用の文字コードを割り当て、字形データ及び呼称とともに他装置のフォントファイルに登録する登録部と、を備えるものである。
【０００９】
本発明の一態様による外字登録装置は、前記登録部が、複数の装置のフォントファイルに外字の文字コード、字形データ、及び呼称を登録することを特徴とする。
【００１０】
本発明の一態様による外字登録装置は、前記判定部が、前記抽出部により抽出された外字データによる外字の字形と、前記記憶部に記憶されている字形データによる字形とのパターンマッチングを行い、類似度に基づき、前記抽出部により抽出された外字データに対応する外字が前記記憶部に記憶されているか否か判定することを特徴とする。
【００１１】
本発明の一態様によるＩＤカード作成システムは、ＩＤカード利用者を撮影して顔画像データを生成する撮影装置と、前記ＩＤカード利用者の個人情報と、文字コード及び字形データを規定した第１フォントファイルを記憶するホストコンピュータと、文字コード及び字形データを規定した第２フォントファイルを記憶し、前記顔画像データを用いて顔画像を印字し、前記第２フォントファイルを用いて前記個人情報の文字の字形を特定して印字し、ＩＤカードを作成するプリンタと、ＩＤカードのＩＣチップから個人情報を読み取る読取装置と、前記読取装置により読み取られた個人情報を受信する前記外字登録装置と、を備え、前記外字登録装置の前記登録部は、前記出現回数が所定値に達した外字の文字コード、字形データ及び呼称を前記第１フォントファイル及び前記第２フォントファイルに登録することを特徴とする。
【００１２】
本発明の一態様によるＩＤカード作成システムは、文字コード及び字形データを規定した第３フォントファイルを記憶し、前記第３フォントファイルを用いて、前記ホストコンピュータに記憶されている個人情報の文字の字形を特定して印字する帳票プリンタをさらに備え、前記登録部は、前記出現回数が所定値に達した外字の文字コード、字形データ及び呼称を前記第３フォントファイルに登録することを特徴とする。
【発明の効果】
【００１３】
本発明によれば、ＩＤカードを作成する際の外字の取り扱いを容易にし、ＩＤカード発行者及びＩＤカード利用者の負担を軽減することができる。
【図面の簡単な説明】
【００１４】
【図１】本実施形態によるＩＤカード作成システムの概略構成図。
【図２】ＩＤカードの一例を示す図。
【図３】本実施形態による外字登録装置の概略構成図。
【図４】本実施形態による外字登録装置の記憶部に記憶されているデータの一例を示す図。
【図５】本実施形態による外字登録方法を説明するフローチャート。
【図６】本実施形態による外字登録画面の一例を示す図。
【図７】変形例によるＩＤカード作成システムの概略構成図。
【発明を実施するための形態】
【００１５】
以下、本発明の実施の形態を図面に基づいて説明する。
【００１６】
図１に本実施形態によるＩＤカード作成システムの概略構成を示す。ＩＤカード作成システムは、ホストコンピュータ１０、受付端末２０、撮影装置３０、ＩＤカードプリンタ４０、追記端末５０、帳票プリンタ６０、個人情報登録端末７０、及び外字登録装置８０を備えている。また、受付端末２０、撮影装置３０、及び追記端末５０には、それぞれ、後述するＩＤカードに設けられたＩＣチップに対するデータの書き込み・読み出しを行うリーダライタ２２、３２、５２が接続されている。ＩＤカード作成システムの各部はデータバス９０を介して接続されている。
【００１７】
ホストコンピュータ１０は、ＩＤカードの発行に関して得たカード利用者の個人情報を記憶している。ホストコンピュータ１０は、帳票用の文字コード及び字形データを規定した帳票用フォントファイル１０Ａを有しており、個人情報の文字は、帳票用フォントファイル１０Ａの文字コードに対応付けられている。
【００１８】
受付端末２０は、ＩＤカードの発行申請を受け付ける。受付端末２０が、ＩＤカードの発行承認機能をさらに有していてもよい。ＩＤカードの更新発行の場合、リーダライタ２２が、有効期限を迎える古いＩＤカードのＩＣチップから、ＩＤカード利用者の個人情報等のデータを読み出すことができる。
【００１９】
撮影装置３０は、デジタルカメラ等の撮影手段を有しており、撮影処理を実行し、ＩＤカード利用者の顔画像データを生成する。ＩＤカードの更新発行の場合、リーダライタ３２を用いて、有効期限を迎える古いＩＤカードのＩＣチップからＩＤカード利用者の個人情報等のデータを読み出し、生成した顔画像データと個人情報とを紐付けてホストコンピュータ１０に記録してもよい。
【００２０】
ＩＤカードプリンタ４０は、ＩＤカード利用者の個人情報及び顔画像データを受け取り、個人情報及び顔画像を印字して、ＩＤカードを作成する。例えば、ＩＤカードプリンタ４０は、図２に示すようなＩＣチップ１ａを含むＩＤカード１の表面２に対して個人情報２ａ及び顔画像２ｂを印字するとともに、ＩＣチップ１ａ内に個人情報２ａを書き込んで、従業員証、入館証、資格証明証等のＩＤカードを作成する。また、ＩＣチップ１ａには、ＩＤカード利用者の個人情報に外字が含まれる場合に、外字情報（字形データ及び呼称）が記録されている。ここで字形データは、例えばビットマップ形式になっている。
【００２１】
ＩＤカードプリンタ４０は、ＩＤカードに印字される文字の文字コード及び字形データを規定した券面用フォントファイル４０Ａを有しており、個人情報の文字コードからその字形を特定して印字する。
【００２２】
追記端末５０は、ホストコンピュータ１０に、ＩＤカード利用者の個人情報を追記したり、ホストコンピュータ１０に記録されている個人情報を書き換えたりすることができる。また、リーダライタ５２は、ＩＤカード１のＩＣチップ１ａ内の個人情報の追記・書き換えを行う。また、リーダライタ５２は、追記・書き換えの際に、ＩＣチップ１ａ内のデータを読み出すことができる。
【００２３】
帳票プリンタ６０は、ホストコンピュータ１０に記録されている個人情報を印字出力することができる。帳票プリンタ６０は、ホストコンピュータ１０と同じ内容のフォントファイルを有している。個人情報登録端末７０は、ＩＤカードの発行に関して得たカード利用者の個人情報をホストコンピュータ１０に登録する。
【００２４】
外字登録装置８０は、リーダライタ２２、３２、５２で読み取られたデータを監視し、このデータに外字データが含まれていた場合に、この外字を帳票用フォントファイル１０Ａ及び券面用フォントファイル４０Ａに登録するか否か判定し、登録すると判定した場合は、外字登録処理を行う。
【００２５】
図３に外字登録装置８０の概略構成を示す。外字登録装置８０は、通信部８１、抽出部８２、記憶部８３、判定部８４、及び登録部８５を備えている。また、外字登録装置８０は、図示しない表示部を備えており、後述する外字登録画面が表示できるようになっている。
【００２６】
抽出部８２は、リーダライタ２２、３２、５２がＩＣチップ１ａから読み取ったデータを、通信部８１を介して受信し、受信データから外字情報を抽出する。
【００２７】
記憶部８３は、外字フォントのイメージ（字形データ）、出現回数、最終出現日、呼称を記憶したデータベースである。図４に、記憶部８３に記憶されているデータの一例を示す。
【００２８】
判定部８４は、抽出部８２により抽出された外字情報に対応する外字が記憶部８３に記憶されているか否か判定する。例えば、判定部８４は、抽出部８２により抽出された外字情報に含まれる字形データと、記憶部８３に記憶されているフォントイメージとのパターンマッチングを行い、類似度に基づき、一致するものがあるか否か判定する。類似度が所定値以上のもの（一致するもの）がある場合、すなわち、抽出部８２により抽出された外字情報に対応する外字が記憶部８３に記憶されている場合、判定部８４は、対応する外字の出現回数及び最終出現日を更新する。判定部８４は、出現回数が所定回数に達した外字について、帳票用フォントファイル１０Ａ及び券面用フォントファイル４０Ａに登録するものと判定する。
【００２９】
登録部８５は、判定部８４により帳票用フォントファイル１０Ａ及び券面用フォントファイル４０Ａに登録すると判定された外字に対して、未使用の文字コードを割り当てる。そして、登録部８５は、通信部８１を介して、この外字の字形データ及び文字コードを帳票用フォントファイル１０Ａ及び券面用フォントファイル４０Ａに登録する。さらに、登録部８５は、この外字の字形データ及び文字コードを帳票プリンタ６０のフォントファイルに登録してもよい。
【００３０】
次に、上述したＩＤカード作成システムにおける外字登録方法を図５に示すフローチャートを用いて説明する。
【００３１】
（ステップＳ１０１）リーダライタ２２、３２、５２がＩＤカード１のＩＣチップ１ａからデータを読み取る。読み取られたデータは、受付端末２０、撮影装置３０、追記端末５０が、データバス９０を介して外字登録装置８０へ送信する。図示しない制御装置がデータ転送制御を行ってもよい。
【００３２】
（ステップＳ１０２）外字登録装置８０の抽出部８２が、通信部８１を介して、ＩＣチップ１１ａから読み取られたデータを受信する。
【００３３】
（ステップＳ１０３）抽出部８２が、受信データに外字情報が含まれているか否か検査する。外字情報が含まれている場合はステップＳ１０４へ進む。
【００３４】
（ステップＳ１０４）抽出部８２が、受信データから外字情報（字形データ及び呼称）を抽出する。
【００３５】
（ステップＳ１０５）判定部８４が記憶部８３を検索し、ステップＳ１０４で抽出部８２により抽出された外字情報に対応する外字が記憶部８３に記憶されている場合は、ステップＳ１０６へ進む。
【００３６】
（ステップＳ１０６）対応する外字について、記憶部８３に記憶されている出現回数ｎをインクリメントし、最終出現日を更新する。
【００３７】
（ステップＳ１０７）出現回数ｎが所定回数Ｎに達した場合、判定部８４は、この外字の使用頻度が高く、文字コードを割り当てて各装置のフォントファイルに追加すべきと判定し、ステップＳ１０８へ進む。
【００３８】
（ステップＳ１０８）登録部８５が、各装置のフォントファイルにおいて未使用の文字コードを抽出し、外字に割り当てる。
【００３９】
（ステップＳ１０９）外字登録画面が表示部に表示される。例えば、図６に示すような画面が表示される。外字登録権限のあるオペレータが画面を確認し、問題なければステップＳ１１０へ進む。
【００４０】
（ステップＳ１１０）オペレータが、キーボードやマウス等の入力手段を操作して、フォント登録を指示する。外字登録装置８０の表示部をタッチパネルで構成してもよい。オペレータからの登録指示に基づき、外字の文字コード及び字形データが、帳票用フォントファイル１０Ａ及び券面用フォントファイル４０Ａに登録される。
【００４１】
また、ステップＳ１０８が完了後、オペレータが、フォント登録を指示することなく、自動的に、外字の文字コード及び字形データが、帳票用フォントファイル１０Ａ及び券面用フォントファイル４０Ａに登録され、その登録された履歴を残すようにしてもよい。
【００４２】
このように、本実施形態によれば、ＩＤカード作成システムにおける外字の取り扱い（出現）頻度を監視し、出現回数が所定値に達した使用頻度の高い外字を、帳票用フォントファイル１０Ａ及び券面用フォントファイル４０Ａに登録することができる。そのため、ＩＤカードプリンタ４０と帳票プリンタ６０とで同じ字体の文字を印字することができる。
【００４３】
また、ＩＤカードのＩＣチップを読み取ることで外字の字形データが得られるため、外字フォントをカード発行者側で改めて作成する必要がなく、また、ＩＤカード利用者が外字フォントの印字結果を確認したりする手間を省略できる。
【００４４】
このように、本実施形態によれば、ＩＤカードを作成する際の外字の取り扱いを容易にし、ＩＤカード発行者及びＩＤカード利用者の負担を軽減することができる。
【００４５】
図７に示すように、受付端末２０、撮影装置３０、ＩＤカード作成プリンタ４０、追記端末５０、帳票プリンタ６０、及び個人情報登録端末７０を複数のカード発行所の各々に設け、インターネットやイントラネットを利用してネットワーク接続した構成にしてもよい。外字登録装置８０は、複数のカード発行所に設けられたＩＤカード作成プリンタ４０の券面用フォントファイル４０Ａに未登録の外字を追加する。このことにより、複数のカード発行所において、同じ字体の文字を印字したＩＤカードを作成することができる。
【００４６】
上記実施形態では、抽出部８２により抽出された外字情報に対応する外字が記憶部８３に記憶されていない場合は処理を終了していたが（図５のステップＳ１０５＿Ｎｏ）、この外字情報を記憶部８３に新規登録できるようにしてもよい。
【００４７】
上述した実施形態で説明した外字登録装置８０の少なくとも一部は、ハードウェアで構成してもよいし、ソフトウェアで構成してもよい。ソフトウェアで構成する場合には、外字登録装置８０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００４８】
また、外字登録装置８０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５０】
１０  ホストコンピュータ
２０  受付端末
３０  撮影装置
４０  ＩＤカードプリンタ
５０  追記端末
６０  帳票プリンタ
７０  個人情報登録端末
８０  外字登録装置
【図１】
2014191741.tif 000003
【図２】
2014191741.tif 000004
【図３】
2014191741.tif 000005
【図４】
2014191741.tif 000006
【図５】
2014191741.tif 000007
【図６】
2014191741.tif 000008
【図７】
2014191741.tif 000009